(57)【要約】 【課題】体積記録されたホログラムデータ、特にディスク状或いはカード型の記録媒体に記録されたホログラムデータの複製を容易且つ大量に行うこと。【解決手段】ディスク型マスター記録媒体（１）〜（Ｎ）をＮ枚用意し、これらディスク型マスター記録媒体それぞれに参照光の角度を変化させてデータページを多重させずに記録した後、各ディスク型マスター記録媒体に記録されているデータページを共通の複製用ディスク型記録媒体２０に記録して、当該複製用ディスク型記録媒体２０にデータページを最終的にＮ多重記録することにより、体積記録されたホログラムデータ、特にディスク型の記録媒体に記録されたホログラムデータの複製を容易且つ大量に行うことができる。【選択図】図２
2006018864.tif 000002
【特許請求の範囲】
【請求項１】
ディスク型マスター記録媒体にホログラフィックに記録されているデータページを当該ディスク型マスター記録媒体に近接配置された複製用ディスク型記録媒体に複製するホログラム複製方法であって、
前記ディスク型マスター記録媒体に円錐状光線を照射し、これにより前記円錐状光線がディスク型マスター記録媒体により回折されて生じる信号光と当該ディスク型マスター記録媒体を通過した前記円錐状光線との干渉縞を一括して前記複製用ディスク型記録媒体に記録することを特徴とするホログラム複製方法。
【請求項２】
前記ディスク型マスター記録媒体をＮ枚用意し、これらディスク型マスター記録媒体それぞれに参照光の角度を変化させてデータページを多重させずに記録した後、各ディスク型マスター記録媒体に記録されているデータページを共通の前記複製用ディスク型記録媒体に記録して、当該複製用ディスク型記録媒体にデータページを最終的にＮ多重記録することを特徴とする請求項１記載のホログラム複製方法。
【請求項３】
前記ディスク型マスター記録媒体に記録されているマスターホログラムは薄いホログラムであることを特徴とする請求項２記載のホログラム複製方法。
【請求項４】
前記ディスク型マスター記録媒体をＭ枚用意し、これらディスク型マスター記録媒体それぞれに角度多重方式でデータページを２多重以上記録した後、各ディスク型マスター記録媒体に記録されているデータページを共通の前記複製用ディスク型記録媒体に前記円錐状光線の入射角を変化させてそれぞれ２多重以上で記録することにより、前記複製用ディスク型記録媒体にデータページを最終的にＮ（Ｎ＞Ｍ）多重記録することを特徴とする請求項１記載のホログラム複製方法。
【請求項５】
前記ディスク型マスター記録媒体を１枚用意し、このディスク型マスター記録媒体に角度多重方式でデータページをＮ多重記録した後、このディスク型マスター記録媒体にＮ多重記録されているデータページを前記円錐状光線の入射角を変化させて前記複製用ディスク型記録媒体にＮ多重記録することを特徴とする請求項１記載のホログラム複製方法。
【請求項６】
前記円錐状光線は、平行光をシリンドリカルレンズ或いは回折光学素子に通すか、若しくは円錐状ミラーに当てて生成されることを特徴とする請求項１記載のホログラム複製方法。
【請求項７】
前記ディスク型マスターディスクの作成時、平行光ではなく、複製時に用いる円錐状光線を使用することを特徴とする請求項１記載のホログラム複製方法。
【請求項８】
前記ディスク型マスター記録媒体と前記複製用ディスク型記録媒体との間に、角度依存性の強い光学部品を具備することを特徴とする請求項１記載のホログラム複製方法。
【請求項９】
前記マスターディスク作成時に用いる参照光の入射角度は、ディスク法線とディスク半径方向のなす面内で変化させることを特徴とする請求項１記載のホログラム複製方法。
【請求項１０】
カード型マスター記録媒体にホログラフィックに記録されているデータページを当該カード型マスター記録媒体に近接配置された複製用カード型記録媒体に複製するホログラム複製方法であって、  カード型マスター記録媒体に斜入射光線を照射し、これにより前記斜入射光線がカード型マスター記録媒体により回折されて生じる信号光と当該カード型マスター記録媒体を通過した前記斜入射光線との干渉縞を一括して前記複製用カード型記録媒体に記録することを特徴とするホログラム複製方法。
【請求項１１】
前記カード型マスター記録媒体をＮ枚用意し、これらカード型マスター記録媒体それぞれに参照光の角度を変化させてデータページを多重させずに記録した後、各カード型マスター記録媒体に記録されているデータページを共通の前記複製用カード型記録媒体に記録して、当該複製用カード型記録媒体にデータページを最終的にＮ多重記録することを特徴とする請求項１０記載のホログラム複製方法。
【請求項１２】
前記カード型マスター記録媒体をＭ枚用意し、これらカード型マスター記録媒体それぞれに角度多重方式でデータページを２多重以上記録した後、各カード型マスター記録媒体に記録されているデータページを共通の前記複製用カード型記録媒体に前記斜入射光線の入射角を変化させてそれぞれ２多重以上で記録することにより、前記複製用カード型記録媒体にデータページを最終的にＮ（Ｎ＞Ｍ）多重記録することを特徴とする請求項１０記載のホログラム複製方法。
【請求項１３】
前記カード型マスター記録媒体を１枚用意し、このカード型マスター記録媒体に角度多重方式でデータページをＮ多重記録した後、このカード型マスター記録媒体にＮ多重記録されているデータページを前記斜入射光線の入射角を変化させて前記複製用カード型記録媒体にＮ多重記録することを特徴とする請求項１０記載のホログラム複製方法。
【請求項１４】
前記カード型マスター記録媒体と前記複製用カード型記録媒体の間に、角度依存性の強い光学部品を挿入することを特徴とする請求項１０記載のホログラム複製方法。
【発明の詳細な説明】
【技術分野】
【０００１】
本発明は、角度多重記録方式でデータページを多重記録したホログラム記録媒体を複製するホログラム複製方法に関する。
【背景技術】
【０００２】
近年、ホログラフィック技術は、次世代、次々世代光ディスクと競合する強力なストレージの候補として注目を集めているホログラフィックメモリの実用化へ向けて、急速に開発が進められており、ホログラム技術を利用して大容量データの記録再生を行うホログラム記録再生システムが提案されている（例えば、非特許文献１参照）。
【０００３】
このようなホログラム記録再生システムでは、記録密度向上のために多重記録という方法が用いられている。これはホログラム記録媒体の同一の記録エリアに多数の独立なデータページを記録するものである。多重記録方式の代表的なものとしては、角度多重記録、シフト多重記録、位相コード多重記録などが知られている。
【０００４】
角度多重は、参照光の角度を変えることで１箇所に多数の独立なページを記録、再生するものである。シフト多重は記録位置を少しずつずらすことで、多重記録を行うものである。位相多重はひとつのページを記録する際に、色々な方向から参照光を同時に当てて記録するが、その際に各方向からの参照光に位相の変化を与えておく。この位相の変化をいろいろと組み合わせることで、１箇所に多数枚の独立なページを記録再生するものである。また、上記の３種類以外にも多くの多重方式が考えられる。例えば、スペックル多重（もしくはコリレーション多重）と呼ばれているものもある。
【０００５】
ところで、ホログラムにより映像データなどを多重記録したホログラム記録媒体を商品化する場合には、映像データなどを多重記録したマスターのホログラム記録媒体から同一映像データが記録されたホログラム記録媒体を大量に複製する必要がある。従って、ホログラフィックストレージを普及させるにはホログラムの複製技術の開発が重要である。
【０００６】
従来、ホログラムの複製は主にディスプレイホログラムの分野では盛んであり、色々な方法が知られていた。例えば、エンボスホログラムによるものや、コンタクトコピーによるものなどが実用化されている。しかし、ホログラフィックストレージの観点からは、複製について確立された方法は多くないが、ビットバイビットでデータを記録したマスターのディスク型記録媒体より円錐光を用いてホログラムを複製する方法（例えば特許文献１参照）などがある。
【非特許文献１】IBM J.RES DEVELOP VOL 44 NO.3 MAY 2000 「Holographic data storage」
【特許文献１】特開２００３−２３３９０８号公報  （第４−５頁、第１図）
【発明の開示】
【発明が解決しようとする課題】
【０００７】
しかしながら、従来の表面凹凸転写型のエンボス式の複製では、体積記録されたデータページ（ホログラム）を複製することはできない。また、従来型のコンタクトコピーの場合、平行光を用いるためマスターディスク作成時に使った参照光と同じ波面を持つ複製時に使う参照光を生成するのが難しく、特にディスク型の記録媒体に記録されたホログラムを再生可能に複製することができなかった。また、特許文献１で示すような円錐光を用いてホログラムを複製する方法では、体積記録したホログラムからビットバイビットでデータを記録したマスターを作成することができないため、やはり体積記録されたホログラムを複製することはできなかった。
【０００８】
本発明は前記事情に鑑み案出されたものであって、本発明の目的は、体積記録されたホログラム、特にディスク型或いはカード型記録媒体に記録されたホログラムの複製を容易且つ大量に行うことができるホログラム複製方法を提供することにある。
【課題を解決するための手段】
【０００９】
本発明は上記目的を達成するため、ディスク型マスター記録媒体にホログラフィックに記録されているデータページを当該ディスク型マスター記録媒体に近接配置された複製用ディスク型記録媒体に複製するホログラム複製方法であって、前記ディスク型マスター記録媒体に円錐状光線を照射し、これにより前記円錐状光線がディスク型マスター記録媒体により回折されて生じる信号光と当該ディスク型マスター記録媒体を通過した前記円錐状光線との干渉縞を一括して前記複製用ディスク型記録媒体に記録することを特徴とする。
【００１０】
また、本発明は、前記ディスク型マスター記録媒体をＮ枚用意し、これらディスク型マスター記録媒体それぞれに参照光の角度を変化させてデータページを多重させずに記録した後、各ディスク型マスター記録媒体に記録されているデータページを共通の前記複製用ディスク型記録媒体に記録して、当該複製用ディスク型記録媒体にデータページを最終的にＮ多重記録することを特徴とする。
【００１１】
また、本発明は、カード型マスター記録媒体にホログラフィックに記録されているデータページを当該カード型マスター記録媒体に近接配置された複製用カード型記録媒体に複製するホログラム複製方法であって、カード型マスター記録媒体に斜入射光線を照射し、これにより前記斜入射光線がカード型マスター記録媒体により回折されて生じる信号光と当該カード型マスター記録媒体を通過した前記斜入射光線との干渉縞を一括して前記複製用カード型記録媒体に記録することを特徴とする。
【００１２】
また、本発明は、前記カード型マスター記録媒体をＮ枚用意し、これらカード型マスター記録媒体それぞれに参照光の角度を変化させてデータページを多重させずに記録した後、各カード型マスター記録媒体に記録されているデータページを共通の前記複製用カード型記録媒体に記録して、当該複製用カード型記録媒体にデータページを最終的にＮ多重記録することを特徴とする。
【００１３】
このように本発明では、例えばディスク型マスター記録媒体にホログラフィックに記録されているデータページ（マスターホログラム）を当該ディスク型マスター記録媒体に近接配置された複製用ディスク型記録媒体に複製する際に、例えば、ディスク型マスター記録媒体をＮ枚用意し、これらディスク型マスター記録媒体それぞれに参照光の角度を変化させてデータページを多重させずに記録した後、各ディスク型マスター記録媒体に記録されているデータページを共通の前記複製用ディスク型記録媒体に円錐状光線を用いて一括記録し、当該複製用ディスク型記録媒体にデータページを最終的にＮ多重記録することにより、体積記録されたホログラム、特にディスク型記録媒体に記録されたホログラムの複製を容易且つ大量に行うことができる。
【発明の効果】
【００１４】
本発明によれば、前記ディスク型或いはカード型マスター記録媒体に円錐状光線或いは斜入力光線を照射し、これにより前記円錐状光線或いは斜入力光線がディスク型或いはカード型マスター記録媒体により回折されて生じる信号光と当該ディスク型或いはカード型マスター記録媒体を通過した前記円錐状光線或いは斜入力光線との干渉縞を一括して前記複製用ディスク型記録媒体に記録することにより、体積記録されたホログラム、特にディスク型或いはカード型の記録媒体に記録されたホログラムの複製を容易且つ大量に行うことができる。
【発明を実施するための最良の形態】
【００１５】
体積記録されたホログラム、特にディスク型或いはカード型記録媒体に記録されたホログラムの複製を容易且つ大量に行う目的を、ディスク型或いはカード型マスター記録媒体に円錐状光線或いは斜入力光線を照射し、これにより前記円錐状光線或いは斜入力光線がディスク型或いはカード型マスター記録媒体により回折されて生じる信号光と当該ディスク型或いはカード型マスター記録媒体を通過した前記円錐状光線或いは斜入力光線との干渉縞を一括して前記複製用ディスク型記録媒体に記録することによって容易に実現した。
【実施例１】
【００１６】
図１は、本発明の第１の実施の形態に係るホログラム複製方法の概略手順を説明するフローチャートである。まず、角度多重方式によりマスターホログラム（データページ）を記録したマスターディスクをＮ枚作成する（ステップＳ１、Ｓ２）。具体的には、図２（Ａ）に示すように、本来はＮ多重すべきデータページを、１枚のデータページ毎に１枚のディスク型ホログラム材料に、入射角度が変化する参照光２００とデータページで空間光変調された信号光１００との干渉縞を記録する。これにより、Ｎ枚のマスターディスク（１）〜（Ｎ）が作成される。但し、参照光２００の入射角度は図３に示すようにディスク法線とディスク半径方向のなす面内で変化させるものとする。
【００１７】
次にＮ枚のマスターディスク（１）〜（Ｎ）に記録されたマスターホログラムのコピーがひとつの複製用ホログラム材料２０に対して行われる（ステップＳ３、Ｓ４）。具体的には、図２（Ｂ）に示すように、平行光の参照光２００を円錐ビーム生成用光学部品１により円錐状光線３００に変換し、この円錐状光線３００をマスターディスク（１）に照射する。この場合、円錐状光線３００のマスターディスク（１）に入射する角度は、このマスターディスク（１）を作成した時の参照光２００の入射角度と同一にする。これにより、マスターディスク（１）に記録されたホログラムに応じた信号光４００が再生され、この信号光４００とマスターディスク（１）を回折されずに通過した円錐状光線３００が複製用ホログラム材料２０のところで干渉し、その干渉縞が複製用ホログラム材料２０に記録されることにより、マスターディスク（１）に記録されているマスターホログラムが複製用ホログラム材料２０に一括してコピーされる。
【００１８】
図２（Ｃ）に示すように、マスターディスク（２）に記録されているマスターホログラムが同様の方法で同一の複製用ホログラム材料２０にコピーされるが、その場合、円錐状光線３００のマスターディスク（２）に入射する角度は、このマスターディスク（２）を作成した時の参照光２００の入射角度と同一とする。このため、円錐ビーム生成用光学部品１は前記入射角度の円錐状光線３００を発生するものに取り替えられる。この時点で、複製用ホログラム材料２０にはデータページが２多重されて記録されている。以下同様で、図２（Ｄ）に示すように、マスターディスク（Ｎ）に記録されているデータページが同様の方法で同一の複製用ホログラム材料２０にコピーされて、複製ホログラムが完成する（ステップＳ５）。図２（Ｅ）は完成した複製ホログラムで、マスターのデータページがＮ多重でコピーされている。実際には、Ｎ多重後に光照射などの後処理が必要な場合もあり、それらの処理を経ることにより、ホログラムの複製が完成する。
【００１９】
ここで、上記のように最終的にＮ多重した複製ホログラムを作る際に、通常、Ｎとしては数十〜数百という値をとるが、この場合、ホログラムの回折効率は非常に低くなる。もし、マスターディスク自身がＮ多重されていて、そのマスターディスクにコンタクトコピーを使うとすると、図４（Ｂ）に示すようにコピーの際の信号光４００と参照光としての円錐状光線３００の強度比が大きく異なってしまい、複製されたホログラムの回折効率が非常に悪くなってしまったり、多重度が取れなくなったりの不具合を生じる。そこで、マスターディスクは多重記録せず、その代わり、上記例のようにＮ枚のマスターディスク（１）〜（Ｎ）を用意する。この場合は、図４（Ａ）に示すようにコピーの時の信号光４００と参照光３００の強度比を略１：１とすることも可能で、コピーの品質を良好とすることができる。それ故、本実施の形態では、最終的にＮ多重した複製ホログラムを作成するのに、Ｎ枚のマスターディスク（１）〜（Ｎ）を用いている。
【００２０】
また、コンタクトコピーを行う際に必要なことは、マスターディスクに記録されているマスターホログラムを一括再生することである。既に述べたとおり、上記のように作成されたマスターディスクがディスク型である場合、一括再生の際には、円錐状光線が必要であり、上記例では円錐ビーム生成用光学部品１により円錐状光線３００を作っていたが、円錐ビーム生成用光学部品１としてコーン（円錐）ミラーを用いた例が図５である。
【００２１】
図５にて、ディスク状のマスターディスク（１）の上方にコーンミラー２をその軸中心がマスターディスク（１）の中心に一致するように配置し、このコーンミラー２の上方から平行光線の入射参照光２００を照射する。これにより、入射参照光２００はコーンミラー２の斜面により反射して、円錐状光線３００になりマスターディスク（１）に照射される。マスターディスク（１）に入射した円錐状光線４００は記録されているホログラムにより回折されて信号光４００になって、マスターディスク（１）の下部に近接配置された複製用ホログラム材料２０に入射する。この時、回折されずにマスターディスク（１）をそのまま通過した円錐状光線３００が参照光になって信号光４００と干渉し、その干渉縞が複製用ホログラム材料２０に記録される。これにより、マスターディスク（１）に干渉縞として記録されているデータページが一括して複製用ホログラム材料２０にコピーされる。
【００２２】
ここで、マスターディスク（１）は、回折効率がコンタクトコピーの為に最適化されていると仮定する。通常は、参照光と信号光の強度比が１：１に近い時に回折効率が良いので、マスターディスクの回折効率は吸収や表面反射を無視した場合には５０％程度とするのが好ましい。また、図５では煩雑さを避けるために明記しなかったが、マスターディスク（１）と複製用ホログラム材料２０間の不要な反射を避けるために、マスターディスクと複製用ホログラム材料２０の間にインデックスマッチング液などを充填することもある。また、図５では円錐状光線を発生させるために、コーンミラー（円錐ミラー）２を用いたが、他にも円錐プリズム、回折光学素子など、いくつかの方法が考えられる。
【００２３】
また、図５の例ではマスターディスク（１）から再生された信号光４００とマスターディスク（１）を透過した光（すなわち、コンタクトコピー時の参照光）３００の強度比の調節は、マスターディスク（１）の回折効率によって行っていた。しかし、図６に示すように、マスターディスク（１）と複製用ホログラム材料２０の間に角度選択性の強い光学部品３を配置することで、信号光４００と参照光（図１の例では円錐状光線）３００の強度比を調節することができる。
【００２４】
仮にマスターディスク（１）の回折効率が非常に低かったと仮定する。この場合、信号光４００が通る角度内は光を良く通し、それ以外の角度の光線は光の透過率が低くなるような光学部品３をマスターディスク（１）と複製用ホログラム材料２０の間に配置し、光学部品３の透過率を最適化することにより、所望の信号光４００と参照光３００の強度比が得られる。このような光学部品の例としては、角度依存性の強い多層膜コーティングミラーなどが考えられる。
【００２５】
また、上記の説明では、マスターディスク作成時に通常の角度多重と同様な平行光を用い、再生は円錐状光線で行うとしてきた。本来、記録と再生は同じ波面で行うことが好ましく、平行光と円錐状光線は図７（Ａ），（Ｂ）に示すように厳密には異なるが、通常は、１箇所のホログラムスポットが充分小さいので、これらの差異は無視できる。しかしながら、平行光線で円錐状光線が近似できない場合もある。この場合は、マスターディスク記録時に、複製時に用いる参照光と同じ波面を持つような光線を用いればよい。図７の例だと、再生時に円錐状光線を用いる場合、マスターディスク記録時にも円錐状光線を用いて記録することにすればよい。なお、図７（Ｂ）に示すような円錐状光線はシリンドリカルレンズを用いることで容易に生成することができる。
【００２６】
ここで、ホログラムは以下に示すＱ値と呼ばれるパラメータによって厚いホログラムと薄いホログラムに分類することが出来る。但し、λは波長、Ｔは記録層の厚さ、ｄは干渉縞の１周期の長さとすると、Ｑ＝２πλＴ／ｎｄ２と表せる。Ｑ＜１の場合は薄いホログラム、Ｑ＞１０の場合は厚いホログラムと呼ばれます。例えば、記録波長にＨｅＮｅレーザ６３２．８ｎｍを使用し、干渉縞の１周期の長さが１μｍのホログラムを記録する場合、必要とする記録層の厚さは、薄いホログラムで０．２５μｍ程度、厚いホログラムで２．５μｍ以上となります。
【００２７】
厚いホログラムの場合、ブラッグ条件が満たされた場合のみ像が再生される。これはすなわち、角度選択性や波長選択性が高く、薄いホログラムは角度選択性や波長選択性が低いことを意味する。上記実施の形態では、マスタ−デイスク（１）〜（Ｎ）に記録されている各マスターホログラムは多重記録されていないため角度選択性を持つ必要はなく、ホログラムを複製される側、即ち複製用ホログラム材料２０に記録されるホログラムのみに角度選択制が必要になる。マスタ−ホログラムが角度選択性を持っていた場合、コンタクトコピ−に用いる再生照明光の角度公差が極めて厳しくなるが、マスタ−ホログラムを薄いホログラムとすることにより、角度選択性を低くして角度公差を緩和することができる。
【００２８】
本実施の形態によれば、複数のディスク型マスターディスク（１）〜（Ｎ）から円錐状光線を用いて１枚のディスク型の複製用ホログラム材料２０に複数回コピーすることにより、角度多重方式でディスク型記録媒体に記録されたデータページを容易に複製することができ、同一情報を記録したＲＯＭ型のディスクを大量に製造することができるようになり、ホログラム記録の応用範囲を大きく広げることができる。
【００２９】
また、角度多重記録した際に、ひとつの記録を複製用ホログラム材料２０にコピーする時間は、円錐状光線３００を用いて例えばマスターディスク（１）の記録ホログラムを一括露光することにより、１秒以下で済むが、この作業をＮ回繰り返さなければＮ多重記録のコピーは完成しないため、単純計算では完成までにＮ秒以上かかる。しかし、実際にはバッチ処理にすることで、コピー１枚あたりのタクトタイムはほとんど１秒オーダーで、短時間に大量のコピーディスクを作成することができる。
【００３０】
また、マスタ−ホログラムを薄いホログラムとすることにより、角度選択性を低くして角度公差を緩和することができる。
【実施例２】
【００３１】
図８は、本発明の第２の実施の形態に係るホログラム複製方法の概略手順を説明するフローチャートで、カード型ホログラム記録媒体の複製方法を説明するものである。但し、第１の実施の形態と同様の部分には同一符号を付して説明する。
【００３２】
まず、角度多重方式によるマスターディスクをＮ枚作成する（ステップＳ１１、Ｓ１２）。具体的には、図９（Ａ）に示すように、本来はＮ多重すべきデータページを、１枚のデータページ毎に１枚のカード状の複製用ホログラム材料３０に、入射角度が変化する参照光２００とデータページで空間光変調された信号光１００との干渉縞を記録する。これにより、Ｎ枚のマスターディスク（１）〜（Ｎ）が作成される。
【００３３】
次にＮ枚のマスターディスク（１）〜（Ｎ）の記録データのコピーがひとつの複製用ホログラム材料３０に対して行われる（ステップＳ１３、Ｓ１４）。具体的には、図９（Ｂ）に示すように、平行光の参照光２００を斜入射ビーム生成用光学部品４により斜入射ビーム５００に変換し、この斜入射ビーム５００をマスターディスク（１）に照射する。この場合、斜入射ビーム５００のマスターディスク（１）に入射する角度は、このマスターディスク（１）を作成した時の参照光２００の入射角度と同一にする。これにより、マスターディスク（１）に記録されたホログラムデータに応じた信号光４００が発生し、この信号光４００とマスターディスク（１）を回折されずに通過した斜入射ビーム５００が複製用ホログラム材料３０のところで干渉し、その干渉縞が複製用ホログラム材料３０に記録される。これにより、マスターディスク（１）に記録されているデータページが複製用ホログラム材料３０に一括してコピーされる。
【００３４】
図９（Ｃ）に示すように、マスターディスク（２）に記録されているデータページが同様の方法で同一の複製用ホログラム材料３０にコピーされるが、その場合、斜入射ビーム５００のマスターディスク（２）に入射する角度は、このマスターディスク（２）を作成した時の参照光２００の入射角度と同一とする。そのため斜入射ビーム生成用光学部品４を対応したものに取り替える。この時点で、複製用ホログラム材料３０にはデータページが２多重されて記録されている。以下同様で、図９（Ｄ）に示すように、マスターディスク（Ｎ）に記録されているデータページが同様の方法で同一の複製用ホログラム材料３０にコピーされて、複製ホログラムが完成する（ステップＳ１５）。図９（Ｅ）は完成した複製ホログラムで、オリジナルのデータページがＮ多重でコピーされている。実際には、Ｎ多重後に光照射などの後処理が必要な場合もあり、それらの処理を経ることにより、ホログラムの複製が完成する。
【００３５】
本実施の形態によれば、複数のカード型マスターディスク（１）〜（Ｎ）から射入射光線５００を用いて１枚のカード型複製用ホログラム材料３０に複数回コピーすることにより、角度多重方式でカード型記録媒体に記録されたデータページを容易に複製することができ、第１の実施の形態と同様の効果を有する。
【００３６】
尚、本発明は上記実施の形態に限定されることなく、その要旨を逸脱しない範囲において、具体的な構成、機能、作用、効果において、他の種々の形態によっても実施することができる。例えば、上記実施の形態では、データページを多重することなく記録したマスターディスクをＮ枚用いてＮ多重ホログラムを１枚の複製用ホログラム材料にコピーしたが、回折効率の悪化がなければ、データページをＭ多重記録したマスターディスクをＮ／Ｍ枚（例えば小数点以下は切り上げで、最後の１枚はＭ多重以下とする。或いは各マスターディスクの多重度を等しくしないで調整する。例えば５多重データページを２多重のマスターディスクと３多重のマスターディスクを用いて、同一の複製用ディスクにそれぞれコピーすることにより、最終的に５多重データページを複製用ディスクに記録する）用いて、１枚の複製用ホログラム材料にコピーしても良く、その場合、コピー回数は約Ｎ／Ｍ回に削減することができ、その分、データページをＮ多重した複製ディスクの作成時間を短縮できる。また、回折効率の悪化がなければ、データページをＮ多重記録したマスターディスクを１枚用いて、１枚の複製用ホログラム材料に一回コピーすることによりＮ多重した複製ディスクを作成することもできる。
【００３７】
また、上記実施の形態では、透過型ホログラムを例にとって説明したが、反射型ホログラムでも同様の方法を用いてホログラムの複製を行うことができる。
【図面の簡単な説明】
【００３８】
【図１】本発明の第１の実施の形態に係るホログラム複製方法の概略手順を説明するフローチャートである。
【図２】図１に示したホログラム複製方法の具体的な手順を示したブロック図である。
【図３】参照光の入射方向を説明する図である。
【図４】ホログラムディスクを複製する際の再生された信号光と回折されなかった参照光の強度比を説明する図である。
【図５】円錐ビーム生成用光学部品としてコーンミラーを用いてマスターホログラムを複製する実施例を示した断面図である。
【図６】円錐ビーム生成用光学部品としてコーンミラーを用いてマスターホログラムを複製する他の実施例を示した断面図である。
【図７】平行光線と円錐状光線の違いを示した図である。
【図８】本発明の第２の実施の形態に係るホログラム複製方法の概略手順を説明するフローチャートである。
【図９】図８に示したホログラム複製方法の具体的な手順を示したブロック図である。
【符号の説明】
【００３９】
１……円錐ビーム生成用光学部品、２……コーンミラー、３……光学部品、４……斜入射ビーム生成用光学部品、２０、３０……複製用ホログラム材料、（１）〜（Ｎ）……マスターディスク。
【図１】
2006018864.tif 000003
【図２】
2006018864.tif 000004
【図３】
2006018864.tif 000005
【図４】
2006018864.tif 000006
【図５】
2006018864.tif 000007
【図６】
2006018864.tif 000008
【図７】
2006018864.tif 000009
【図８】
2006018864.tif 000010
【図９】
2006018864.tif 000011